【手続補正書】
【提出日】平成30年6月21日(2018.6.21)
【手続補正１】
【補正対象書類名】特許請求の範囲
【補正対象項目名】全文
【補正方法】変更
【補正の内容】
【特許請求の範囲】
【請求項１】
モデムスタックにそれぞれ関連付けられた少なくとも第1の加入者識別モジュール(SIM)および第2のSIMを有するマルチSIMワイヤレス通信デバイスにおけるアウトオブサービスの回復を制御する方法であって、
前記第1のSIMに関連付けられた前記モデムスタックおよび前記第2のSIMに関連付けられた前記モデムスタックのうちの少なくとも1つがアウトオブサービス状態にあることを検出するステップと、
前記第1および第2のSIMに関連付けられた前記モデムスタックが両方とも前記アウトオブサービス状態にあるかどうかを判定するステップと、
前記第1および第2のSIMに関連付けられた前記モデムスタックが両方とも前記アウトオブサービス状態にあるとの判定に応答して、
サービスの喪失を経験すると、ボイス呼またはアクティブデータ通信セッションが、前記第1または第2のSIMに関連付けられた前記モデムスタックによってドロップされたかどうかを判定するステップと、
ボイス呼またはアクティブデータ通信セッションが、前記第1または第2のSIMに関連付けられた前記モデムスタックによってドロップされたとの判定に応答して、前記ドロップされたボイス呼またはアクティブデータ通信セッションに対応する前記モデムスタックにおけるサービスの回復に優先順位を付けるステップと
を含む方法。
【請求項２】
前記第1および第2のSIMに関連付けられた前記モデムスタックが両方とも前記アウトオブサービス状態にあるとの判定に応答して、前記第1または第2のSIMに関連付けられた前記モデムスタックにおいて緊急呼がトリガされるかどうかを判定するステップと、
前記第1および第2のSIMのいずれかに関連付けられた前記モデムスタックにおいて緊急呼がトリガされたとの判定に応答して、前記トリガされた緊急呼に対応する前記モデムスタックにおけるサービスの回復に優先順位を付けるステップと
をさらに含む、請求項1に記載の方法。
【請求項３】
ボイス呼またはアクティブデータ通信セッションが、前記第1または第2のSIMに関連付けられた前記モデムスタックによってドロップされなかったとの判定に応答して、
前記第1のSIMおよび前記第2のSIMに関連付けられた前記モデムスタックにおける過去のアクティビティに関する情報にアクセスするステップと、
前記第1のSIMおよび前記第2のSIMに関連付けられた前記モデムスタックにおける過去のアクティビティに関する情報に基づいて、前記第1および第2のSIMの各々の優先値を計算するステップと
をさらに含む、請求項1に記載の方法。
【請求項４】
前記第1のSIMおよび前記第2のSIMに関連付けられた前記モデムスタックにおける過去のアクティビティに関する情報に基づいて、前記第1および第2のSIMの各々の優先値を計算するステップが、前記第1のSIMおよび前記第2のSIMに関連付けられた前記モデムスタックにおける過去のアクティビティに関する前記情報にサービス回復優先順位式を適用するステップを含む、請求項3に記載の方法。
【請求項５】
前記第1および第2のSIMに関連付けられた前記モデムスタックにおける過去のアクティビティに関する情報にアクセスするステップが、前記ワイヤレス通信デバイスに記憶されたアクティビティ履歴データベースにアクセスするステップを含み、前記アクティビティ履歴データベースに記憶された前記情報が、
前記第1および前記第2のSIMのうちの少なくとも1つによってサポートされるネットワークへの接続によって有効にされる複数のアクティビティの各々に割り当てられた重みと、
各SIMについて、少なくとも1つの監視時間期間中の各アクティビティの発生回数を合計するカウントと
を含む、請求項3に記載の方法。
【請求項６】
前記複数のアクティビティが、モバイル着信呼、モバイル発信呼、およびデータ通信セッションを含む、請求項5に記載の方法。
【請求項７】
前記アクティビティ履歴データベースに記憶された前記情報が、
前記少なくとも1つの監視された時間期間の持続時間を提供するアクティビティ間隔パラメータの値と、
前記第1および第2のSIMの各々について前記優先値を計算する際に使用されるべき過去のアクティビティ間隔の数を識別するサイクル数パラメータの値と
をさらに含む、請求項5に記載の方法。
【請求項８】
前記第1および第2のSIMの各々について前記優先値を計算するステップが、前記第1および第2のSIMの各々について、
現在の時間、ならびに前記アクティビティ間隔パラメータおよび前記サイクル数パラメータのために記憶された前記値に基づいて、少なくとも1つの関連する監視時間期間を識別するステップと、
前記少なくとも1つの関連する監視時間期間の各々に対応する各アクティビティについての重み付きカウントを計算するステップであって、前記重み付きカウントが、各アクティビティに割り当てられた前記重みと各アクティビティについての発生回数を合計する前記カウントとの積として計算される、ステップと、
前記少なくとも1つの関連する監視時間期間の各々に対応する各アクティビティについての前記計算された重み付きカウントの合計を計算するステップと
をさらに含む、請求項7に記載の方法。
【請求項９】
前記第1および第2のSIMに関連付けられた前記モデムスタックが、単一の無線周波数(RF)リソースを共有し、前記方法が、
前記計算された優先値に基づいて、前記第1および第2のSIMの各々についてのRFリソース割振り率を計算するステップと、
前記第1および第2のSIMに関連付けられた前記モデムスタックに対して前記RFリソースの使用を許可するステップであり、各モデムスタックに対して許可された使用の相対量が、前記計算されたRFリソース割振り率に対応する、ステップと
をさらに含む、請求項3に記載の方法。
【請求項１０】
前記第1および第2のSIMのうちの1つについての前記RFリソース割振り率を計算するステップが、
前記第1および第2のSIMについて計算された優先値の合計を計算するステップと、
前記第1および第2のSIMのうちの1つについての前記優先値を、前記計算された合計で割り、得られた割合に100を掛けるステップと
を含む、請求項9に記載の方法。
【請求項１１】
前記第1および第2のSIMに関連付けられた前記モデムスタックが両方とも前記アウトオブサービス状態にないとの判定に応答して、前記第1または第2のSIMをインサービスSIMとして識別するステップと、
前記インサービスSIMに関連付けられた前記モデムスタックが現在の音声またはデータ通信に参加しているかどうかを判定するステップと、
前記アウトオブサービス状態である前記モデムスタックにおける過去のアクティビティに関する情報にアクセスするステップと、
前記アウトオブサービス状態の前記モデムスタックに関連付けられた前記SIMについての優先値を計算するステップと
をさらに含む、請求項1に記載の方法。
【請求項１２】
前記インサービスSIMに関連付けられた前記モデムスタックが現在の音声またはデータ通信に参加しているとの判定に応答して、前記アウトオブサービス状態の前記モデムスタックによるサービスの回復を制限するステップ
をさらに含む、請求項11に記載の方法。
【請求項１３】
前記アウトオブサービス状態の前記モデムスタックにおける過去のアクティビティに関する情報にアクセスするステップが、前記ワイヤレス通信デバイスに記憶されたアクティビティ履歴データベースにアクセスするステップを含み、前記アクティビティ履歴データベースからアクセスされる前記情報が、
前記アウトオブサービス状態の前記モデムスタックに関連付けられた前記SIMによってサポートされるネットワークへの接続によって有効にされる複数のアクティビティの各々に割り当てられた重みと、
前記アウトオブサービス状態の前記モデムスタックに関連付けられた前記SIMにおける少なくとも1つの監視時間期間中の各アクティビティの発生回数を合計するカウントと
を含む、請求項11に記載の方法。
【請求項１４】
ワイヤレス通信デバイスであって、
第1の加入者識別モジュール(SIM)および第2のSIMのうちの少なくとも1つに接続するように構成された無線周波数(RF)リソースと、
前記第1のSIMに関連付けられたモデムスタックおよび前記第2のSIMに関連付けられたモデムスタックのうちの少なくとも1つがアウトオブサービス状態にあることを検出するための手段と、
前記第1および第2のSIMに関連付けられた前記モデムスタックが両方とも前記アウトオブサービス状態にあるかどうかを判定するための手段と、
前記第1および第2のSIMに関連付けられた前記モデムスタックが両方とも前記アウトオブサービス状態にあるとの判定に応答して、サービスの喪失を経験すると、ボイス呼またはアクティブデータ通信セッションが、前記第1または第2のSIMに関連付けられた前記モデムスタックによってドロップされたかどうかを判定するための手段と、
ボイス呼またはアクティブデータ通信セッションが、前記第1または第2のSIMに関連付けられた前記モデムスタックによってドロップされたとの判定に応答して、前記ドロップされたボイス呼またはアクティブデータ通信セッションに対応する前記モデムスタックにおけるサービスの回復に優先順位を付けるための手段と
を含むワイヤレス通信デバイス。
【請求項１５】
プロセッサ可読記録媒体であって、
第1の加入者識別モジュール(SIM)および第2のSIMのうちの少なくとも1つに関連付けられた無線周波数(RF)リソースを有するワイヤレス通信デバイスのプロセッサに動作を実行させるように構成されたプロセッサ実行可能命令が記録されており、前記動作が、
前記第1のSIMに関連付けられたモデムスタックおよび前記第2のSIMに関連付けられたモデムスタックのうちの少なくとも1つがアウトオブサービス状態にあることを検出することと、
前記第1および第2のSIMに関連付けられた前記モデムスタックが両方とも前記アウトオブサービス状態にあるかどうかを判定することと、
前記第1および第2のSIMに関連付けられた前記モデムスタックが両方とも前記アウトオブサービス状態にあるとの判定に応答して、
サービスの喪失を経験すると、ボイス呼またはアクティブデータ通信セッションが、前記第1または第2のSIMに関連付けられた前記モデムスタックによってドロップされたかどうかを判定することと、
ボイス呼またはアクティブデータ通信セッションが、前記第1または第2のSIMに関連付けられた前記モデムスタックによってドロップされたとの判定に応答して、前記ドロップされたボイス呼またはアクティブデータ通信セッションに対応する前記モデムスタックにおけるサービスの回復に優先順位を付けることと
を含む、プロセッサ可読記録媒体。